(57)【要約】      （修正有）【課題】積層荷物体への装着が容易に行える荷崩れ防止用ベルトを提供する。【解決手段】弾力性を備える環状帯体構成で、積層荷物体２２に被嵌されることでその荷崩れを防止する荷崩れ防止用ベルト１であり、その一部に、荷崩れ防止用ベルト１が積層荷物体２２の上角部３０ａに装着された状態において上方へ抜け方向の力がかかった際に、積層荷物体２２の上角部３０ａの下方に続く側角部３１に係止してその抜けを阻止する抜け阻止部１２が設けられてなる荷崩れ防止用ベルト。【選択図】図３
0003147910.tif 000002
【実用新案登録請求の範囲】
【請求項１】
弾力性を備える環状帯体構成で、積層荷物体に被嵌されることでその荷崩れを防止する荷崩れ防止用ベルトであり、
その一部に、当該荷崩れ防止用ベルトが前記積層荷物体の上角部に装着された状態において上方へ抜け方向の力がかかった際に、前記積層荷物体の上角部の下方に続く側角部に係止してその抜けを阻止する抜け阻止部が設けられてなることを特徴とする荷崩れ防止用ベルト。
【請求項２】
前記抜け阻止部がノンスリップ加工面を持つ弾力性係止用ベルトよりなることを特徴とする請求項１記載の荷崩れ防止用ベルト。
【考案の詳細な説明】
【技術分野】
【０００１】  この考案は、パレット上等に積まれる複数の荷物の固定を行う荷崩れ防止用ベルトに関する。
【背景技術】
【０００２】  パレット上等に積まれる複数の荷物の荷崩れを防止するための荷崩れ防止バンドとして種々のものが提供されている。しかしながらこれら現状のものは、その一端を荷物側に固定した状態において荷物群の周囲に全体が崩れないように巻回して他端を固定しなければならず、その作業に非常に手間がかかる問題があった。
【考案の開示】
【考案が解決しようとする課題】
【０００３】  この考案では、積層荷物体への装着が容易に行える荷崩れ防止用ベルトを提供する。
【課題を解決するための手段】
【０００４】  この考案では、弾力性を備える環状帯体構成で、積層荷物体に被嵌されることでその荷崩れを防止する荷崩れ防止用ベルトであり、その一部に、当該荷崩れ防止用ベルトが前記積層荷物体の上角部に装着された状態において上方へ抜け方向の力がかかった際に、前記積層荷物体の上角部の下方に続く側角部に係止してその抜けを阻止する抜け阻止部が設けられてなることを特徴とする荷崩れ防止用ベルトを提供する。【０００５】  上記構成の荷崩れ防止用ベルトは弾力性を備える環状帯体構成であるので、巻回装着することで積層荷物体の固定が行えてその荷崩れが防止できる。とくに、荷崩れ防止用ベルトに抜け阻止部が設けられており、その抜け阻止部が設けられた部分を積層荷物体の上角部に始めに装着しておくことで、他の部分を積層荷物体に装着していく際に抜け阻止部が上角部の下方に続く側角部に係止してその部分の上方への抜けが阻止される。これにより、その部分が積層荷物体に仮固定された状態となり、その部分を基点として荷崩れ防止用ベルト全体の積層荷物体への装着が行え、その結果、積層荷物体の形態が大きい場合においても容易にその装着が行える。抜け阻止部としては、ノンスリップ加工面を持つ弾力性係止用ベルトが好適に用いられるが、積層荷物体の上角部の下方に続く側角部に係止して荷崩れ防止用ベルトの上方への抜けを阻止する機能を果たせば、適宜の形態とされればよい。【０００６】  荷崩れ防止用ベルトは弾力的に固定機能を果たすものであれば適宜の材質において構成されればよい。その長さ寸法は積層荷持体の形態に対応して適宜に設定され、その長さ寸法の調整機能が備えられるものが便利に用いられる。また、その幅寸法は２０〜１００ｃｍが好適とされる。【０００７】  さらに、荷崩れ防止用ベルトの環状方向における複数箇所に、その幅方向における形を保つための保形パネルが取り付けられることで、その部分が捩れ状態になったり折れ重なり状態になったりすることがなく、これにより、さらに装着作業性が高められる。
【考案の効果】
【０００８】  この考案によれば、積層荷物体への装着が容易に行える実用性に優れる荷崩れ防止用ベルトが得られる。
【考案を実施するための最良の形態】
【０００９】  図１はこの考案の荷崩れ防止用ベルトの外観斜視図、図２は要部縦方向断面図である。荷崩れ防止用ベルト１は、長尺のシート部材２の両側縁がそれらが互いに近接するように同じ側に折られた２枚重ね構成となっており、かつ、その端部どうしが連結されることで全体が環状帯体構成となっている。シート部材２は、例えば、伸縮性を持つポリウレタン繊維（登録商標「ライクラ」）等を含有するポリエステルやナイロン等よりなり、これにより荷崩れ防止用ベルト１は全体が環状方向に沿って弾力性を持って伸縮するようになっている。【００１０】  荷崩れ防止用ベルト１はその環状方向における複数箇所に縦方向に縫い込み部４のそれぞれが設けられ、その相対する縫込み部４の間に形成される隙間空間６それぞれに保形パネル７それぞれが納められている。保形パネル７は方形のプラスチックパネルや厚紙等からなり、シート部材２の両端縁間の隙間部分９から差し入れることで装着される。【００１１】  荷崩れ防止用ベルト１において、上記保形パネル７は一箇所において隣接するように配置され、その間部分が折り曲げ形態とされることで荷崩れ防止用ベルト１には角部１０が備えられている。そしてその角部１０には荷崩れ防止用ベルト１の上縁どうしを、また、下縁どうしをつなぐように係止用ベルト１２のそれぞれが取り付けられている。この係止用ベルト１２は内側面にノンスリップ加工が施されたウレタン等の合成ゴムよりなる。【００１２】  また、荷崩れ防止用ベルト１の表面の一部にはその環状方向に沿って３本の面ファスナー１３それぞれが取り付けられており、それらの端部付近には長さ調整シート部１４が折り曲げ可能に取り付けられ、その上記面ファスナー１３それぞれに対応する面には縦方向に面ファスナー１５が取り付けられている。【００１３】  次に上記荷崩れ防止用ベルト１の装着作業について説明する。２０はパレットでその上部に８個の梱包箱形態の荷物２１が２段に方形に積層されることで積層荷物体２２が構成されている。装着するに先立って、まず、荷崩れ防止用ベルト１の長さ寸法を調整する。例えば、今積層荷物体２２の周囲長さが４ｍである場合には、その長さを３．５ｍ程度とする。その寸法調整は、長さ調整シート部１４の面ファスナー１５をファスナー１３それぞれの環状方向における任意位置に固定し、面ファスナー１３それぞれのある部分を長さ調整使用することで行っている。なお、この実施形態においては荷崩れ防止用ベルト１を長さ調整することなく用いている。上記荷崩れ防止用ベルト１の幅は５０ｃｍである。【００１４】  上記のように長さ寸法調整した荷崩れ防止用ベルト１の角部１０を、図３に示すように、積層荷物体２２の一つの上角部３０ａに係止し、その全体を積層荷物体２２上に置く。その際、上側の係止用ベルト１２が係止することで角部１０は上角部３０ａから下方にずれ落ちることはない。次に角部１０の逆側部分３５を矢印Ａ方向に引っ張ることにより上記上角部３０ａと対角線上に位置する上角部３０ｂに係止する。その際には角部１０には引っ張り力により上方への抜けの力が働くが、下側の係止用ベルト１２が上角部３０ａから下方に続く側角部３１にノンスリップ面で接触して係止していることで角部１０の上方への抜けが回避される。このように下側の係止用ベルト１２が抜け阻止部として機能する。【００１５】  積層荷物体の２つの上角部３０ａ、３０ｂに係止した状態において、荷崩れ防止用ベルト１の上角部３０ａ、３０ｂに係止した部分の中間位置の一方側部分３６を矢印Ｂ方向に引っ張ることにより上角部３０ｃに係止する。その引っ張り動作は荷崩れ防止用ベルト１の上角部３０ｂに係止した部分を他方の手で押さえながら行う。この際にも手で押さえない角部１０には引っ張り力により上方への抜けの力が働くが、上記と同様にして角部１０の抜けが回避される。次にさらに上記と同様にして中間位置の他方側部分３７を矢印Ｃ方向に引っ張ることにより上角部３０ｄに係止する。【００１６】  上記のようにして４つの上角部３０ａ、３０ｂ、３０ｃ、３０ｄに係止した後、上側の係止用ベルト１２を上角部３０ａ上から外し荷崩れ防止用ベルト１の全体を積層荷物体２２の中間高さ位置まで引き下ろす。これにより、図４に示すように、上下２段に積層された８個の荷物２１が荷崩れ防止用ベルト１により弾力的に締め付けられて積層荷物体２２は一体に固定される。【００１７】  このようにして、例えば、トラック運転者等における一人の作業において容易に荷崩れ防止用ベルト１の積層荷物体２２への装着がなされる。また、その作業に際には、荷崩れ防止用ベルト１の複数箇所に保形パネル７それぞれが設けられていることで、荷崩れ防止用ベルト１がその部分において捩れ状態や折り重ね状態となることが妨げられ、これによっても取り扱いがスムーズに行えてその装着作業が容易になされる。
【図面の簡単な説明】
【００１８】
【図１】  この考案の荷崩れ防止用ベルトの実施形態の外観斜視図
【図２】  この考案の荷崩れ防止用ベルトの要部縦方向断面図
【図３】  この考案の荷崩れ防止用ベルトの実施形態の装着作業説明図
【図４】  この考案の荷崩れ防止用ベルトの実施形態の装着状態を示す図
【符号の説明】
【００１９】１      荷崩れ防止用ベルト
１２    係止用ベルト（抜け阻止部）
２２    積層荷物体
３０ａ  上角部
３１    側角部
【図１】
0003147910.tif 000003
【図２】
0003147910.tif 000004
【図３】
0003147910.tif 000005
【図４】
0003147910.tif 000006